【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  ディジタル伝送システムにおいて送信されたデータの認証方法であって、少なくとも１つのルートディレクトリユニットと、サブディレクトリユニットと、ファイルユニットとからなる階層に、伝送前にデータを組織化し、ファイルのデータが第１の認証アルゴリズムと参照サブディレクトリに格納された関連するファイル認証値に従って作用され、このファイル認証値は第２の認証アルゴリズムと参照ルートディレクトリに格納された関連するサブディレクトリ認証値とに従って順次作用されることを特徴とするデータの認証方法。
【請求項２】  ディジタル伝送システムにおいて送信されたデータを認証するための装置であって、当該装置は、伝送前に、データを、少なくとも１つのルートディレクトリユニットとサブディレクトリユニットとファイルユニットとからなる階層に組織化する手段を含んでおり、当該装置は更に、
第１の認証アルゴリズムによってファイル内のデータに作用する為の手段と、
関連するファイル認証値を、参照サブディレクトに格納する為の手段と、
第２の認証アルゴリズムによって、当該ファイル認証値に順次に作用する為の手段と、
関連するサブディレクトリ認証値を、参照ルートディレクトリに格納する為の手段と
から構成されていることを特徴とするデータの認証装置。
【請求項３】  少なくとも１つのルートディレクトリユニットと、サブディレクトリユニットと、ファイルユニットとからなる階層に組織化されたデータを含むディジタル信号であって、当該信号は、第１の認証アルゴリズムがデータファイルに作用して得られるファイル認証値であって、且つ参照サブディレクトに格納されているファイル認証値と、第２の認証アルゴリズムが当該ファイル認証値に作用して得られるサブディレクトリ認証値であって且つ参照ルートディレクトリユニットに格納されているサブディレクトリ認証値と、を含んでいる事を特徴とするディジタル信号。
【請求項４】  ディジタル伝送ネットワークにおいて受信されたデータの検証方法であって、当該データは、少なくとも１つのルートディレクトリユニットと、サブディレクトリユニットと、ファイルユニットとからなる階層に組織化されたものであって、且つファイル認証値は、第１の認証アルゴリズムがデータファイルに作用して得られたもので、参照サブディレクトに格納されており、そしてサブディレクトリ認証値は、第２の認証アルゴリズムが当該ファイル認証値に作用して得られたもので参照ルートディレクトリユニットに格納されているものであり、当該方法は受信装置に於いて、
ファイルにあるデータを第１の認証アルゴリズムにより作用させ、それにより第１の結果値を得る工程、
当該第１の結果値を参照サブディレクトリに格納されている認証値と比較する工程、
少なくとも参照サブディレクトリに格納されている前記ファイル認証値を第２の認証アルゴリズムにより作用させ、それにより第２の結果値を得る工程、
該第２の結果値を参照ルートディレクトリに格納された関連サブディレクトリ認証値と比較する工程、
とから構成されていることを特徴とする受信データの検証方法。
【請求項５】  ディジタル伝送ネットワークにおいて受信されたデータの検証装置であって、当該データは、少なくとも１つのルートディレクトリユニットと、サブディレクトリユニットと、ファイルユニットとからなる階層に組織化されたものであって、且つファイル認証値は、第１の認証アルゴリズムがデータファイルに作用して得られたもので、参照サブディレクトに格納されており、そしてサブディレクトリ認証値は、第２の認証アルゴリズムが当該ファイル認証値に作用して得られたもので参照ルートディレクトリユニットに格納されているものであり、当該装置は、
ファイルにあるデータを第１の認証アルゴリズムにより作用させ、それにより第１の結果値を得る為の手段、
当該第１の結果値を参照サブディレクトリに格納されている認証値と比較する為の手段、
少なくとも参照サブディレクトリに格納されている前記ファイル認証値を第２の認証アルゴリズムにより作用させ、それにより第２の結果値を得る為の手段、
該第２の結果値を参照ルートディレクトリに格納された関連サブディレクトリ認証値と比較する為の手段と、
を含んでいることを特徴とする受信データの検証装置。
【請求項６】  ディジタル伝送システムにおいて送信されるリンクされたデータユニットの第１および第２のセットの認証方法であって、当該方法は、
当該データユニットの第１のセットに於ける一つのユニットである第１のユニットに秘密鍵を作用させて署名を発生させる工程、
当該署名を当該第１のユニットに格納する工程、
少なくとも当該署名を認証アルゴリズムにより認証し、認証値を得る工程、及び
当該認証値を、該データユニットの第２のセットに於ける一つのユニットである第２のユニットであって且つ当該第１のユニットを参照する第２のユニットに格納する工程、
とによって特徴付けられる認証方法。
【請求項７】  ディジタル伝送システムにおいて送信されるリンクされたデータユニットの第１および第２のセットを認証する為の装置であって、当該装置は、
第１のユニットに秘密鍵を作用させて署名を発生させる為の手段、
当該署名を当該第１のユニットに格納する為の手段、
少なくとも当該署名を認証アルゴリズムにより認証し、認証値を得る為の手段、及び
当該認証値を、該ユニットの第２のセットに於ける一つのユニットであって且つ当該第１のユニットを参照するユニットに格納する為の手段、
とを含むことを特徴とする認証装置。
【請求項８】  ディジタル伝送システムにおいて受信されるデータを検証する方法であって、当該データはリンクされたデータユニットの第１および第２のセットを含んでおり、第１のデータユニットは秘密鍵を第１のデータユニットに作用させて発生された署名を含むデータユニットの第１のセットに属しており、又、第２のデータユニットはデータユニットの第２のセットに属しており、且つ当該第２のデータユニットは第１のデータユニットを参照していると同時に認証アルゴリズムにより少なくとも当該署名から得られた認証値を含んでいるものであり、当該方法は、
関連する公開鍵を用いて第１のユニットの署名を検証する工程、及び
少なくとも前記署名に作用する認証アルゴリズムを用いて、第２のモジュールセットのユニットに格納された認証値を検証する工程、
とを含んでいる事を特徴とす受信データの検証方法。
【請求項９】  ディジタル伝送システムにおいて受信されるデータを検証する装置であって、当該データはリンクされたデータユニットの第１および第２のセットを含んでおり、第１のデータユニットは秘密鍵を第１のデータユニットに作用させて発生された署名を含むデータユニットの第１のセットに属しており、又、第２のデータユニットはデータユニットの第２のセットに属しており、且つ当該第２のデータユニットは第１のデータユニットを参照していると同時に認証アルゴリズムにより少なくとも当該署名から得られた認証値を含んでいるものであり、当該装置は、
関連する公開鍵を用いて第１のユニットの署名を検証する為の手段、及び
少なくとも前記署名に作用する認証アルゴリズムを用いて、第２のモジュールセットのユニットに格納された認証値を検証する為の手段、
とを含んでいる事を特徴とす受信データの検証装置。
【請求項１０】  リンクされたデータユニットの第１および第２のセットを含むディジタル信号であって、当該信号は、データユニットの第１のセットに属している第１のデータユニットが、秘密鍵を第１のデータユニットに作用させて発生された署名を含んでおり、又、第２のデータユニットは、データユニットの第２のセット内にあって、第１のデータユニットを参照しており、且つ認証アルゴリズムにより少なくとも当該署名から得られたえられた認証値を含んでいる事を特徴とするディジタル信号。
【請求項１１】  ディジタル伝送システムにおいて送信されるデータの認証方法であって、データが連続したデータファイルに組織化されており、当該方法は、パケットトランスポートストリームで伝送するためのデータを準備するために、ディジタル伝送システムにおいて使用されるデータをフォーマット化及びカプセル化する為の一つまたは複数の段階とは独立して、その前にファイル間で認証を行う工程によって特徴付けられるデータの認証方法。
【請求項１２】  ディジタル伝送システムにおいて送信されるデータの認証装置であって、データが連続したデータファイルに組織化されており、当該装置は、パケットトランスポートストリームで伝送するためのデータを準備するために、ディジタル伝送システムにおいて使用されるデータをフォーマット化及びカプセル化する為の一つまたは複数の段階とは独立して、その前にファイル間で認証を行う手段を含んでいる事を特徴とするデータの認証装置。
【請求項１３】  パケットトランスポートストリームで伝送するためにフォーマット化及びカプセル化された連続したデータファイルに組織化されているデータを含むディジタル信号であって、当該信号は更にフォーマット化されていない及びカプセル化されていないデータファイル間で認証することにより得られる署名を含んでいる事を特徴とするディジタル信号。
【請求項１４】  ディジタル伝送システムに於いて受信された受信データの検証方法であって、当該受信データは、パケットトランスポートストリームで伝送するためにフォーマット化及びカプセル化された連続したデータファイルに組織化されており、当該信号は更にフォーマット化されていない及びカプセル化されていないデータファイル間で認証することにより得られる署名を含んでおり、当該方法は、
ディジタル伝送システムによって伝送されたカプセル化されフォーマット化されたデータから、データを再度アセンブルする工程、及び
当該再度アセンブルされたデータを検証する工程
とを含んでいる事を特徴とする受信されたデータの検証方法。
【請求項１５】  ディジタル伝送システムに於いて受信された受信データの検証装置であって、当該受信データは、パケットトランスポートストリームで伝送するためにフォーマット化及びカプセル化された連続したデータファイルに組織化されており、当該信号は更にフォーマット化されていない及びカプセル化されていないデータファイル間で認証することにより得られる署名を含んでおり、当該装置は、
ディジタル伝送システムによって伝送されたカプセル化されフォーマット化されたデータから、データを再度アセンブルする為の手段、及び
当該再度アセンブルされたデータを検証する為の手段
とを含んでいる事を特徴とする受信されたデータの検証装置。